(57)【要約】  【課題】  本発明の目的は、扉を９０度程度までしか開扉できない場合には庫内収納食品を取り出し易くするとともに、扉を９０度以上開扉できる場合には食品の収納容量を確保することができる冷蔵庫を提供することにある。  【解決手段】  冷蔵庫本体１の前面開口を開閉自在に閉塞する観音開き式の扉１２と、この扉１２の裏面に立設させたビード部１９に着脱自在に設けられたドアポケット２１とを備え、このドアポケット２１は、少なくとも前壁と側壁と底壁とで後段収納空間を形成し前記ビード部１９によって保持される後段収納部２２と、少なくとも前壁と側壁と底壁とで前段収納空間を形成し後段収納部２２の前壁又は側壁に着脱自在に取付けた前段収納部２６とから構成している。  【選択図】  図１
2005282897.tif 000002
【特許請求の範囲】
【請求項１】
冷蔵庫本体の前面開口を開閉自在に閉塞する観音開き式の扉と、この扉の裏面に立設させたビード部に着脱自在に設けられたドアポケットとを備え、このドアポケットは、少なくとも前壁と側壁と底壁とで後段収納空間を形成し前記ビード部によって保持される後段収納部と、少なくとも前壁と側壁と底壁とで前段収納空間を形成し前記後段収納部の前壁又は側壁に着脱自在に取付けた前段収納部とから構成していることを特徴とする冷蔵庫。
【請求項２】
前段収納部は上端部にフックを成形した後壁を有しており、このフックを介して後段収納部の前壁と着脱自在に取付けられることを特徴とする請求項１記載の冷蔵庫。
【請求項３】
前段収納部の後壁の下端部にフックを成形し、後段収納部の前壁の下端部に形成した係合部に、上方から当該フックが差し込まれることにより前段収納部が後段収納部に取付けられることを特徴とする請求項２に記載の冷蔵庫。
【発明の詳細な説明】
【技術分野】
【０００１】
本発明は、観音開き式扉の裏面にドアポケットを備えた冷蔵庫に関する。
【背景技術】
【０００２】
従来では、収納内容積が５００Ｌを超えるような大型の家庭用冷蔵庫においては、一枚扉であると開扉が不便であることから観音開き式の扉が採用されていたが、近年では、高級感やデザイン性の要求から４００Ｌ〜３００Ｌクラスの中型の冷蔵庫においても、観音開き式の扉が採用されている。
【０００３】
また、食生活や食品流通事情の変化から冷蔵庫の収納容量は大型化傾向にあり、高さ寸法だけでなく奥行寸法も拡大していることから、食品の整理や食品を取り出し易くするために、扉の裏面に設けた収納容器（以下、ドアポケットと称する）の収納量を拡大させている。この場合、最下段に位置するドアポケットには、牛乳パックやペットボトルなどの食品を前後二段に亙って載置できるように、仕切板を成形した構成が主流となっている（例えば、特許文献１）
【特許文献１】特開２００３−３２９３６２号公報
【発明の開示】
【発明が解決しようとする課題】
【０００４】
しかしながら、台所事情などにより、例えば、冷蔵庫の据え付け位置が壁際であったり流し台が併設されていると、９０度程度までしか開扉できないこともあり、この場合には、上記したドアポケットでは開扉した際に内側への出っ張り量が大きいため、庫内に収納した食品が見難くなり、また前段のドアポケットや載置された食品が邪魔になり、庫内の棚や収納食品が取り出し難いという不具合を生じる。
【０００５】
特に、左右双方とも９０度程度までしか開扉することができなかったり、幅寸法の小さい観音開き式の扉を備えた中型の冷蔵庫では、かかる不具合が顕著に表れる。
【０００６】
また、ドアポケットを一段にすれば内側への出っ張り量を小さくすることができるためかかる不具合は生じないが、これでは、扉を９０度以上することができる家庭においては、収納容量が減少するため利便性に欠けることになる。
【０００７】
本発明は上記問題を考慮してなしたものであり、扉を９０度程度までしか開扉できない場合でも、庫内収納食品を取り出し易くすることができるとともに、扉を９０度以上開扉できる場合には食品の収納容量を確保することができるドアポケットを備えた冷蔵庫を提供することを目的とする。
【課題を解決するための手段】
【０００８】
本発明は、冷蔵庫本体の前面開口を開閉自在に閉塞する観音開き式の扉と、この扉の裏面に立設させたビード部に着脱自在に設けられたドアポケットとを備え、このドアポケットは、少なくとも前壁と側壁と底壁とで後段収納空間を形成し前記ビード部によって保持される後段収納部と、少なくとも前壁と側壁と底壁とで前段収納空間を形成し前記後段収納部の前壁又は側壁に着脱自在に取付けた前段収納部とから構成していることを特徴とするものである。
【発明の効果】
【０００９】
上記発明によれば、扉を９０度程度までしか開扉できない場合でも、庫内食品を取り出し易くすることができるとともに、扉を９０度以上開扉できる場合には食品の収納容量を確保することができるドアポケットを備えた冷蔵庫を提供することができる。
【発明を実施するための最良の形態】
【００１０】
以下、本発明の一実施形態について説明する。図９は冷蔵庫本体１を示す斜視図であり、図１０は図９の冷蔵庫を開扉した状態を示す斜視図である。断熱箱体で形成された冷蔵庫本体１は、その内部を貯蔵空間として最上部に最も収納容量の大きい冷蔵室２を配設し、その下方に野菜室３を設けている。野菜室３の下方には自動製氷装置を設置した製氷室４と温度切替室５を併置し、最下部には冷凍室６をそれぞれ独立して配置し、各貯蔵室の前面開口には各々専用の扉を開閉自在に設けている。
【００１１】
冷凍室６と野菜室３の後部には、図示しない冷凍および冷蔵空間専用の冷却器およびファンをそれぞれ設けて、本体下部に設置した圧縮機の駆動により、前記各冷却器によって冷却された冷気を各貯蔵室に送風し、それぞれを所定の設定温度に冷却制御している。
【００１２】
冷蔵室２内には、図１０に示すように複数の棚１４を配置して複数段に亙る貯蔵品の収納空間を形成しており、その前面開口には、それぞれ外側端の上下部をヒンジ１１で枢支した左扉１２および右扉１３を回動自在に設置し、観音開き方式で閉塞している。また、収納空間の最下段には、引出式の肉皿１５を設けている。
【００１３】
前記左扉１２と右扉１３は、本体中央部で対向して冷蔵室２の開口を左右に区分するように配置されており、各扉１２，１３の内側周縁には、ガスケット１７を取り付けて室内冷気の外部流出を防いでいる。
【００１４】
冷蔵室２の前面開口中央部に位置する左右扉１２，１３間においては、図４に示すように、左右扉の一方、本実施例においては左扉１２の開放側端縁に設けられ、扉の開閉とともに回動し、閉扉状態で前記ガスケット１７と当接して外気を遮蔽する回転仕切体１８により開口部のシールをおこなっており、前記シール機構により、左右扉１２，１３は随時いずれからでも開閉できるとともに、扉を開放した際には冷蔵室２内には室内を左右に仕切る区画板は存在せず、室内を広く使用できるように構成されている。
【００１５】
前記構成については特に図示しないが、前記ガスケット１７同士の接触により中央部に仕切体を設置しないで、左右扉間のシールをおこなうようにしてもよい。
【００１６】
図１は、左扉の裏面に取付けられるドアポケットを示す分解斜視図であり、図２は、図１の扉にドアポケットを取付けた状態を示す斜視図である。図１および図２に示すように、ガスケット１７の内周にはビード部１９を庫内側に向けて立設させており、このビード部１９の内壁には、ドアポケット２０を保持する凸部１９ａを設けている。
【００１７】
このドアポケット２０は、特に図示しないが前記凸部１９ａに着脱自在に係合する嵌合部を設けており、取付ける際には、上方から当該嵌合部を凸部１９ａに嵌入させて保持固定されるようになっている。
【００１８】
さて、最下段に設けたドアポケット２１は、本発明のドアポケットであり、後段収納部２２と前段収納部２６とから構成されている。
【００１９】
後段収納部２２は、透明な合成樹脂により前壁と側壁と底壁とを一体に成形して構成されており、上面と後面とを開口させている。なお、後段収納部２２の後面には後壁を有していてもよい。
【００２０】
前記側壁の後端には、それぞれの凸部１９ｂと着脱自在に係合する係合部２３を形成しており、上方から当該係合部２３を凸部１９ｂに対して嵌入するようになっている。後段収納部２２が取付けられた状態では、この後段収納部２２とビード部１９の底面１９ｃと扉１２の背面１２ａとで区画された空間を後段収納部２２の収納空間２２ａとしている。
【００２１】
図３は後段収納部２２の拡大図であるが、この図３にも示すように、前壁と側壁の上端部には、食品の荷重などにより湾曲することを防止するための肉厚部２４を形成している。
【００２２】
また、前壁の下部には、後述する下部フック２９が挿通されるコ字状の係合部２５を庫内側に向けて左右二箇所に立設させており、汚れなどが詰まらないように底面は貫通させている。
【００２３】
前段収納部２６は、上面を開口させて、透明な合成樹脂により前壁と側壁と底壁と後壁とを一体に成形して構成されており、かかる閉じられた空間を前段収納部２６の収納空間２６ａとしている。
【００２４】
図４は前段収納部２６の拡大図であるが、前壁と側壁の上端部には、食品の荷重などにより湾曲することを防止するための肉厚部２７を形成しており、後壁の上端部には、後段収納部２２側に向けて延在したＬ字状の上部フック２８を左右二箇所に立設させている。
【００２５】
この上部フック２８は、図２に示すように後段収納部２２の前壁上端縁と着脱自在に係合しするようになっている。
【００２６】
後壁の下端部には、後段収納部２１側に向けて延在したＬ字状の下部フック２９を左右二箇所に立設させており、この下部フック２９は上記後段収納部２２の係合部２５に着脱自在に挿通されるようになっている。
【００２７】
さて、前段収納部２６を後段収納部２２の前面に取付ける際には、下部フック２９と係合部２５の位置を合わせながら上方から前段収納部２６を押し下げることにより、上部フック２８が後段収納部２２の前壁上端縁と係合し、また、下部フック２９が係合部２６に挿通されて保持固定される。一方、取り外す際には、前段収納部２６を上方に持ち上げることにより、それぞれの係合が解除されて、取り外すことができるようになっている。
【００２８】
なお、右扉１３にも同様のドアポケット２１が取付けられているが、食品の整理を多様かして使い易くするために、前段収納部２６と後段収納部２２のそれぞれの奥行寸法比率を、右扉１３と左扉１２とで異ならせてもよい。
【００２９】
図５は、前段収納部を後段収納部に取付け９０度開扉させた状態を示す上面図であり、図６は、前段収納部を取り外し９０度開扉させた状態を示す上面図である。
【００３０】
図５に示すように、前段収納部２６を取付けた状態、すなわち、従来の冷蔵庫のように前後２段に分けてペットボトルなどの食品を載置できるドアポケットであると、例えば、幅寸法６００ｍｍの中型の冷蔵庫において、台所事情により左扉１２および右扉１３ともに９０度程度以上開扉できない場合には、空間幅Ａが１４０ｍｍ程度になってしまい棚１４に載置された食品が見難く、且つ取り出し難くなる。この場合、一般的なドアポケットの底部は、上方に載置しているドアポケットと載置された食品が干渉しないように前方に向けて傾斜させているため、ペットボトルなどを前段収納部２６に載置すると、実際の空間幅は例えば８０ｍｍ程度までさらに狭くなる。
【００３１】
また、片側のみが９０度程度までしか開扉できない状態では、空間幅は２６０ｍｍ程度であり、前段収納部２６に背の高いペットボトルなどの食品が載置されていると、特に使用頻度の高い下段の棚１４に載置された食品が見難くまた取り出し難くなるのである。
【００３２】
そこで、本発明では、ドアポケット２１を、少なくとも前壁と側壁と底壁とで後段収納空間を形成しビード部１９ｂによって保持される後段収納部２２と、少なくとも前壁と側壁と底壁とで前段収納空間を形成し後段収納部２２の前壁又は側壁に着脱自在に取付けた前段収納部２６とから構成したことにより、各家庭の台所事情に応じて、扉を９０度程度までしか開扉することが出来ない場合には、前段収納部２６を着脱自在に取り外せるようにしているため、使用者の必要に応じて空間幅を広くすることができ、もって、棚１４に載置された食品を見易くすることができるとともに取り出し易くすることもできる。
【００３３】
具体的には図６に示すように、例えば６００ｍｍ幅寸法の冷蔵庫の場合には、両方の前段収納部２６を取り外すことにより、両扉が９０度程度までしか開扉できない場合には空間幅Ｂを２９０ｍｍ程度まで拡大させることができ、片側のみ９０度程度までしか開扉できない場合には、３５０ｍｍ程度まで拡大させることができる。
【００３４】
一方、扉が９０度以上開扉できる家庭においては、従来通りの収納量を確保することができるとともに、前段収納部２６を取り外して肉皿１５の前方空間を利用することができるため、背の高い食品を載置するなど、食品の収納の幅を広げることができる。
【００３５】
また、本発明では前段収納部２６は、上端部に上部フック２８を成形した後壁を有しており、このフック２８を介して後段収納部２２の前壁と着脱自在に取付けられるため、取付け作業が行い易く、且つ、確実に後段収納部２２の前方で前段収納部２６を保持固定することができる。この場合、観音開き式扉であると一枚扉と比べてその幅寸法が小さいことから、必然的に当該前段収納部２６に載置される荷重は軽くなり、係合箇所が数箇所であっても強度的にも十分に耐え得ることができる。
【００３６】
さらに、本発明では、前段収納部２６の後壁の下端部に下部２９フックを成形し、後段収納部２２の前壁の下端部に形成した係合部２５に、上方から当該フック２９が差し込まれることにより前段収納部２６が後段収納部２２に取付けられるようにしているため、扉の開閉動作においても前段収納部２６がブレたり外れたりすることがなく、より安定して前段収納部２６を保持固定することができる。
【００３７】
以上、説明した実施形態は、本発明の一実施形態にすぎず、種々の変更、応用が可能である。
【００３８】
例えば、前段収納部２６を取り外したときの横断面図である図７に示すように前段収納部２６を取り外した状態では、肉皿１５との間にデットスペースが生じるため、図８に示すように、肉皿１５の前面に取り外した前段収納部２６を取付けて小物容器として使用してもよい。これにより、デットスペースを有効活用することができるとともに、前段収納部２６の紛失を防止することができる。なお、取り外した前段収納部２６は他の貯蔵室において小物容器として利用してもよい。
【００３９】
また、最下段のドアポケット２１についてのみ、本発明のドアポケットを適応して説明したが、その上段のドアポケット２０についても本発明のドアポケットとしても同様の効果を得ることができる。
【００４０】
さらに、前段収納部２６と後段収納部２２との係合方法については、発明の要旨を変更しない限り種々の変更が可能である。
【産業上の利用可能性】
【００４１】
本発明は、扉を９０度程度までしか開扉できない場合でも、庫内収納食品を取り出し易くすることができるとともに、扉を９０度以上開扉できる場合には食品の収納容量を確保することができ、ドアポケットを備えた種々の冷蔵庫に適応が可能である。
【図面の簡単な説明】
【００４２】
【図１】本発明のドアポケットを分解した状態を示す斜視図である。
【図２】図１のドアポケットを扉に取付けた状態を示す斜視図である。
【図３】本発明の後段収納部を示す拡大斜視図である。
【図４】本発明の前段収納部を示す拡大斜視図である。
【図５】９０度まで開扉した状態を示す冷蔵庫の上面図である。
【図６】図５の冷蔵庫のドアポケットの前段収納部を取り外した状態を示す上面図である。
【図７】図６の冷蔵庫の扉を閉扉した状態を示す冷蔵庫の横断面図である。
【図８】図７の冷蔵庫の他の実施形態を示す横断面図である。
【図９】本発明の冷蔵庫を示す斜視図である。
【図１０】図９の冷蔵庫を開扉させた状態を示す斜視図である。
【符号の説明】
【００４３】
１…冷蔵庫本体              ２…冷蔵室              １２…右扉
１３…左扉                  １４…棚                １５…肉皿
１９…ビード部              １９ａ，１９ｂ…凸部    １９ｃ…底面
２０，２１…ドアポケット    ２２…後段収納部        ２３…嵌合部
２４，２７…肉厚部          ２５…係合部            ２６…前段収納部
２８…上部フック            ２９…下部フック
【図１】
2005282897.tif 000003
【図２】
2005282897.tif 000004
【図３】
2005282897.tif 000005
【図４】
2005282897.tif 000006
【図５】
2005282897.tif 000007
【図６】
2005282897.tif 000008
【図７】
2005282897.tif 000009
【図８】
2005282897.tif 000010
【図９】
2005282897.tif 000011
【図１０】
2005282897.tif 000012